(57)【特許請求の範囲】
【請求項１】
ｉ）少なくとも一つの脂肪油、
ｉｉ）少なくとも一つのモノアルキル化アルキレンジアミン、
ｉｉｉ）アンモニウムモリブデート、ナトリウムモリブデート、酸化モリブデン及びそれらの混合物から選ばれる酸素含有モリブデン源、及び
ｉｖ）促進剤としての水、
の反応生成物を含んで成り、該反応生成物のイオウ含量は０.０５重量パーセント未満であり、該反応生成物のモリブデン含量は７重量パーセント以上である、ことを特徴とする有機モリブデン錯体からなる潤滑油添加剤。
【請求項２】
主量の潤滑粘性を持つオイル及び請求項１に記載のモリブデン錯体からなる潤滑油添加剤を含んでなる潤滑油組成物。
【請求項３】
有機モリブデン錯体からなる潤滑油添加剤を製造する方法であって、該方法が
ｉ）少なくとも一つの脂肪油、
ｉｉ）少なくとも一つのモノアルキル化アルキレンジアミン、
ｉｉｉ）アンモニウムモリブデート、ナトリウムモリブデート、酸化モリブデン及びそれらの混合物から選ばれる酸素含有モリブデン源、及び
ｉｖ）促進剤としての水、
を反応させることから成る、ただし、該反応生成物のイオウ含量は０.０５重量パーセント未満であり、該反応生成物のモリブデン含量は７重量パーセント以上である、ことを特徴とする方法。
【発明の詳細な説明】
【０００１】
【発明の属する技術分野】
本発明は、新規な有機モリブデン錯体及び潤滑性組成物用の多機能性添加剤としてのこれらの使用に関する。本発明の新規なモリブデン組成物は、脂肪油、モノアルキル化アルキレンジアミン及びモリブデン源の反応生成物を含んでなる。
【０００２】
【従来の技術】
自動車またはトラックの内燃エンジン用の潤滑油は、使用時に厳しい環境にさらされる。この環境の結果、オイルは酸化を受けることになり、酸化は、鉄化合物等のオイル中の不純物の存在により触媒され、使用時のオイルの上昇した温度によって促進される。通常、使用時の潤滑油のこの酸化は、特に、許容できない粘度増加を低減することにより、あるいは防止することによりオイルの有用寿命を延長する酸化防止剤添加剤を使用することによりある程度コントロールされる。
【０００３】
更に、潤滑剤を使用して、内燃エンジンの摩擦を低減し、エンジンの燃料消費を低減する多くの試みがなされた。摩擦調整剤としての使用に、また潤滑剤によりエンジンにもたらされるエネルギー効率を増加させるために、多数のクラスの潤滑剤の添加剤が示唆された。
【０００４】
モリブデン含有添加剤は、多様な有益な性質を潤滑剤にもたらすことが知られている。モリブデンの添加から利益を得る潤滑剤の例は、乗用車のモーターオイル、天然ガスエンジンのオイル、重負荷のディーゼルオイル、及び鉄道のオイルである。モリブデンは、適切に使用される場合には、燃料経済性のために、改善された摩耗防止、改善された酸化抑制、改善された堆積抑制、及び改善された摩擦調整剤をもたらすことが何年にもわたって示されてきた。特許文献中に、酸化防止剤、堆積物コントロール添加剤、摩耗防止添加剤及び摩擦調整剤としてのモリブデン添加剤の使用を示す多数の例がある。モリブデン含有潤滑剤の特許の部分的な一覧を下記に示す。
米国特許第５、８４０、６７２号、第５、８１４、５８７号、第４、５２９、５２６号、ＷＯ９５／０７９６６
米国特許第５、６５０、３８１号、第４、８１２、２４６号、第５、４５８、８０７号、ＷＯ９５／０７９６４
米国特許第５、８８０、０７３号、第５、６５８、８６２号、第５、６９６、０６５号、ＷＯ９５／０７９６３
米国特許第５、６６５、６８４号、第４、３６０、４３８号、第５、７３６、４９１号、ＷＯ９５／２７０２２
米国特許第５、７８６、３０７号、第４、５０１、６７８号、第５、６８８、７４８号、ＥＰ０４４７９１６Ａｌ
米国特許第５、８０７、８１３号、第４、６９２、２５６号、第５、６０５、８８０号、ＷＯ９５／０７９６２
米国特許第５、８３７、６５７号、第４、８３２、８６７号、第４、７０５、６４１号、ＥＰ０７６８３６６Ａｌ
多数の油溶性モリブデン化合物及びこれらの製造法が当業界で記述されている。例えば、グリコールモリブデート錯体がＰｒｉｃｅらにより米国特許第３、２８５、９４２号で記述されている。モリブデンを含有するオーバーベース（ｏｖｅｒｂａｓｅｄ）されたアルカリ金属及びアルカリ土類金属スルホネート、フェナート及びサリシレート組成物がＨｕｎｔらにより米国特許第４、８３２、８５７号で記述され、クレームされている。脂肪油、ジエタノールアミン及びモリブデン源を反応することにより製造されるモリブデン錯体がＲｏｗａｎらにより米国特許第４、８８９、６４７号で記述されている。脂肪酸と２−（２−アミノエチル）アミノエタノールから製造されるモリブデン含有化合物等のイオウ及びリンを含まない有機アミド有機モリブデン錯体がＫａｒｏｌにより米国特許第５、１３７、６４７号で教示されている。アミン、ジアミン、アルコキシル化アミン、グリコール及びポリオールから製造されるオーバーベースされたモリブデン錯体がＧａｌｌｏらにより米国特許第５、１４３、６３３号で記述されている。そして、２、４−ヘテロ原子置換−モリブデナ−３、３−ジオキサシクロアルカンがＫａｒｏｌにより米国特許第５、４１２、１３０号で記述されている。
【０００５】
しかしながら、既存のモリブデン技術は、潤滑剤における広範な使用を制限する多数の問題で悩んでいる。これらの問題は、色、オイル溶解性、コスト及び腐食を含む。
【０００６】
色−特許文献に出現する多くのモリブデン技術は、クランクケースオイル（ｃｒａｎｋｃａｓｅ  ｏｉｌｓ）中で中程度のレベルでも使用される場合高レベルの色をもたらす。高度に着色したオイルは、「既使用品」であって、エンジンに最大限の保護をもたらすことができないことを末端消費者に示唆するものだけに、非変色性のモリブデン源が重要である。これらの高度に着色したモリブデン源を酸化、堆積及び摩耗抑制に通常必要とされるような低レベル、例えば、１００−１５０ｐｐｍの持ち込まれたモリブデンで使用する場合、変色はさほどでないが、なお視認しうる。しかしながら、これらの高度に着色したモリブデン源を摩擦調整に通常必要とされるような高レベル、例えば、４００−１０００ｐｐｍの持ち込まれたモリブデンで使用する場合、変色はしばしば著しい。伝統的に、完全に調合されたクランクケースオイルの色は、ＡＳＴＭＤ１５００色スケールを用いて求められた。２つのタイプの許容できない色が可能である。第１のタイプの変色は、結果としてＤ１５００スケールで暗色の評点（ｒａｔｉｎｇ）を生じる。仕上がった潤滑剤の暗色化の許容量は、顧客と用途に依存する。許容される変色または暗色化の量に対する決まった基準は存在しない。一般に、５．０に等しいか、あるいは大きいＤ１５００の評点は、仕上がったクランクケースオイルに対して許容できないと考えられる。ある顧客は、このような暗色のクランクケースオイルの商品化、販売が困難であることを見出すかもしれない。第２のタイプの変色は、Ｄ１５００色スケール上で「マッチなし（ｎｏ  ｍａｔｃｈ）」を生じる。これらの仕上がった潤滑剤は、マッチなしであることに加えて、また極めて暗色である。ここでも、ある顧客は、このような暗色のクランクケースオイルの商品化、販売が困難であることを見出すかもしれない。
【０００７】
オイル溶解性−潤滑剤における使用に設計された多くの市販のモリブデン添加剤は、仕上がった潤滑剤製品において限られた溶解性を示す。潤滑剤用途におけるモリブデン製品の広範な使用のためには、この製品は仕上った潤滑剤中擦調整剤のトリートレベルで可溶であるべきであるのみならず、仕上った潤滑剤を製造するのに使用される添加剤濃縮物中でも可溶であるべきである。
【０００８】
コスト−モリブデンは、長い間、クランクケース用途には高価な添加剤として見られてきた。高コストの理由の一部は、市販のモリブデン生成物の多くは、添加剤中で低レベル、例えば５重量％未満のモリブデンを有するという事実から派生する。ある場合には、商品のモリブデン化合物を製造するには、高価な有機配位子または高価な製造プロセスが使用される。低コストの原材料から製造される高モリブデン含量の生成物に対するニーズが存在する。
【０００９】
腐食−特許文献に出現する多くのモリブデン技術は、イオウを含有する。あるタイプのイオウはエラストマーシールと非相溶性で、腐食性であるために、あるクランクケース用途におけるイオウの存在は有害である。著しい量の酸素と水が存在する極めて高温のクランクケース環境においては、低攻撃性（ｌｅｓｓ  ａｇｇｒｅｓｓｉｖｅ）の形のイオウも腐食性であり得る。仕上ったクランクケース潤滑剤中に存在するイオウの量を低減するトレンドも存在する。こららのトレンドが現実になり始めるのに従って、イオウを含有する添加剤は益々好ましくなくなる。
【００１０】
【発明が解決しようとする課題】
上記の問題はすべて、高モリブデン含量、良好なオイル溶解性、ベースオイル及び仕上ったクランクケースオイルに対する非変色性を有し、そしてイオウを含まないモリブデン添加剤に対するニーズを示唆する。思いがけないことには、本発明のモリブデン添加剤は、モリブデン添加剤に通常関連する付随の問題を起こさずに、上記の利点を潤滑性組成物に付与することが見出された。一つの局面においては、本発明は、オイル溶解性が優れ、仕上ったクランクケースオイルを着色する傾向が低いモリブデン組成物を指向する。
【００１１】
これらのモリブデン添加剤は、脂肪油、モノアルキル化アルキレンジアミン及びモリブデン源の反応生成物を含んでなる。
【００１２】
もう一つの実施形態においては、本発明は、潤滑剤に本発明の新規なモリブデン添加剤を包含させることにより、潤滑剤の酸化防止性と摩擦特性を改善する方法指向する。
【００１３】
【課題を解決するための手段】
本発明のモリブデン錯体は、脂肪油、モノアルキル化アルキレンジアミン及びモリブデン源の反応生成物を含んでなる。
【００１４】
これらのモリブデン添加剤を製造する好適な反応は、基本的に２ステップのプロセスである。第１のステップは、アミノアミド／グリセリド混合物を製造することを含む。この混合物は、脂肪油とモノ置換アルキレンジアミンを高温で反応させることにより製造される。第２のステップは、モリブデンの包含を行うことを含む。
【００１５】
【発明の実施の形態】
脂肪油−脂肪油には２つの要件がある。第１に、脂肪油は、モノ置換アルキレンジアミンと反応して、アミノアミド／グリセリド混合物を形成することが可能でなければならない。第２に、このように形成された混合物は、使用する脂肪油の量を基準にして少なくとも１当量のモリブデンと反応することが可能でなければならない。使用してもよい脂肪油の例は、綿実油、挽いたナッツオイル、ココナッツオイル、アマニ油、パーム核油、オリーブ油、トウモロコシ油、パーム油、ひまし油、菜種油（低あるいは高エルカ酸）、大豆油、ひまわり油、にしん油、いわし油、及び獣脂を含む。これらの脂肪油は、脂肪酸のグリセリルエステル、トリアシルグリセロールまたはトリグセリドとして一般に知られており、下記に示す化学構造を有する。
【００１６】
【化１】
0004109428.tif 000002
【００１７】
式中、Ｒ、Ｒ'及びＲ"は独立に、３から２３個の炭素原子を持つ飽和あるいは不飽和脂肪族炭化水素である。好ましい炭化水素鎖は１２から２４個の炭素原子（すなわち、Ｒ、Ｒ'及びＲ"＝１１から２３）を有するが、これは使用するジアミンを基準に変わり得る。しばしば、トリグリセリドは、トリグリセリドを構成する脂肪酸の形で記述される。例えば、ココナッツオイルを構成する、ほぼ４８重量％の脂肪酸はＣ12飽和酸（ラウリル酸）であり、一方カノーラオイルは、ほぼ９０重量％のＣ18飽和及び不飽和炭化水素の脂肪酸組成物を有する。
【００１８】
ジアミン−ジアミンの制約は脂肪油のそれと類似している。第１に、アミンは、脂肪油と反応することが可能でなければならない。第２に、中間体のアミノアミド／グリセリド混合物は、モリブデン源と反応することが可能でなければならない。加えて、このジアミンはモノアルキル化でなければならない。使用してよいいくつかのモノアルキル化アルキレンジアミンの例は、メチルアミノプロピルアミン、メチルアミノエチルアミン、ブチルアミノプロピルアミン、ブチルアミノエチルアミン、オクチルアミノプロピルアミン、オクチルアミノエチルアミン、ドデシルアミノプロピルアミン、ドデシルアミノエチルアミン、ヘキサデシルアミノプロピルアミン、ヘキサデシルアミノエチルアミン、オクタデシルアミノプロピルアミン、オクタデシルアミノエチルアミン、イソプロピル−オキソ−プロピル−１、３−プロパンジアミン、及びオクチル−オキソ−プロピル−１、３−プロパンジアミンを含む。脂肪酸から誘導されるモノアルキル化アルキレンジアミンを使用してもよい。例は、どれも、Ａｋｚｏ  Ｎｏｂｅｌから市販されている、Ｎ−ココアルキル−１、３−プロパンジアミン（ＤｕｏｍｅｅｎTMＣ）、Ｎ−トールオイルアルキル−１、３−プロパンジアミン（ＤｕｏｍｅｅｎTMＴ）及びＮ−オレイル−１、３−プロパンジアミン（ＤｕｏｍｅｅｎTMＯ）を含む。
【００１９】
使用するジアミンの量は、変わり得て、使用する脂肪油のタイプを基準にする。脂肪油に対するジアミンのモル比は１：１から３：１迄変わり得る。好ましい比は２：１である。
【００２０】
脂肪油とモノアルキル化アルキレンジアミンの間の反応は、通常、この２つの材料を一緒に合わせて、混合しながら窒素雰囲気下で加熱することにより７５と１５０℃の間で行われる。好ましい反応温度は１００と１２０℃の間である。反応時間は変わってよく、通常、１時間から４時間の範囲である。脂肪油またはジアミンと反応しない限り反応溶剤を使用してもよい。好ましい反応溶剤は、トルエン、キシレン、ヘプタン、及び種々のナフテン系、パラフィン系及び合成希釈剤オイルを含む。使用する溶剤の量は、臨界的でないが、実際的な目的のために最小限に保たれる。
【００２１】
モリブデン包含−モリブデン源は、脂肪油とモノ置換ジアミンの反応生成物と反応することが可能な酸素含有モリブデン化合物である。モリブデン源は、とりわけ、アンモニウムモリブデート、ナトリウムモリブデート、酸化モリブデン及びこれらの混合物を含む。特に好ましいモリブデン源は、三酸化モリブデンを含んでなる。
【００２２】
これら反応成分の水は反応速度を促進し、モリブデンの包含基準の収率を著しく改善するために添加される。反応成分の反応を完了させ、包含されるモリブデンの量を最大にするために、水は除去されなければならない。
【００２３】
モリブデンの包含の好適な方法の例は次の通りである。三酸化モリブデンと水をほぼ６０−８０℃に保たれたアミノアミド／グリセリド反応物に添加する。脂肪油に対する三酸化モリブデンのモル比は、１：１から２：１迄変わり得る。通常、使用する三酸化モリブデン量に当量で水を添加するが、更に高レベルの水を使用してもよい。三酸化モリブデンと水を添加した後、反応物を還流温度迄ゆっくりと加熱し、水を徐々に除去する。蒸留、真空蒸留により、あるいは好適な溶剤からの共沸蒸溜により水を除去してもよい。好適な溶剤はトルエン、キシレン、及びヘプタンを含む。水の除去によりこの反応をモニターすることができる。集められた水の量は、添加された量とアミノアミド／グリセリドモリブデン錯体を製造するのに生成した量に等しい。例えば、１４．４ｇの三酸化モリブデンを１４．４ｇの水と共に使用する場合には、集められた水の量は、１４．４＋１４．４／１４３．９４＊ｌ８．０ｌ＝１６．２であり、ここで１４３．９４は三酸化モリブデンの分子量であり、１８．０１は反応において生成した水の分子量である。反応は、一般に１から１０時間を必要とする。反応時間の終わりで、混合物を冷却し、冷却し、濾過して、未反応の三酸化モリブデンを除去し、使用する場合には、溶剤を真空蒸留により除去する。多くの場合、三酸化モリブデンのすべてが反応するために、濾過は必要とされない。実用及びコストの観点から、三酸化モリブデンをすべて反応させることが望ましい。この方法により製造される製品は、暗琥珀色のワックスまたは粘稠な液体である。
【００２４】
好ましい実施形態においては、アミノアミド／グリセリド混合物は、モノアルキル化アルキレンジアミンを脂肪油を反応することにより製造される。ここで、脂肪油は、大部分Ｃ14またはより低級な脂肪酸、例えば、ココナッツオイルから誘導され、ここで、この脂肪油を構成する少なくとも５０％の脂肪酸は、１４個あるいはそれ以下の炭素原子を持つ飽和及び／または不飽和脂肪酸である。
【００２５】
もう一つの好ましい実施形態においては、アミノアミド／グリセリド混合物は、メチルアミノプロピルアミンを脂肪油と反応させることにより製造される。ここで、脂肪油は、大部分Ｃ16またはより高級な脂肪酸（例えば、カノーラオイル、綿実油、挽いたナッツオイル、アマニ油、オリーブ油、トウモロコシ油、パーム油、菜種油、大豆油、ひまわり油、及び獣脂）から誘導され、ここで、この脂肪油を構成する少なくとも５０％の脂肪酸が少なくとも１６個の炭素原子を持つ飽和及び／または不飽和脂肪酸である。
【００２６】
本発明のモリブデン錯体は、反応性イオウを実質的に含まない油溶性モリブデン化合物である。ここで使用されるように、「反応性イオウを実質的に含まない油溶性モリブデン化合物」という用語は、潤滑剤または調合潤滑剤パッケージに可溶であり、反応性イオウを実質的に含まないいかなるモリブデン化合物も意味する。反応性イオウという用語は、時には２価イオウまたは酸化可能なイオウと呼ばれる。反応性イオウは、また、遊離イオウ、易動イオウまたは元素状イオウも含み、これらは、すべて時には「活性」イオウと呼ばれる。活性イオウは、時にはそれが生じる有害な影響の点で引き合いに出される。これらの有害な影響は、腐食及びエラストマーシールの不適合性を含む。結果として、「活性」イオウは、また、「腐食性イオウ」または「シール不適合イオウ」とも呼ばれる。遊離、あるいは「活性」イオウを含む反応性イオウの形は、遊離あるいは「活性」イオウの場合には極めて低い反応性イオウよりもエンジンパーツに対してずっと腐食性である。高温及び厳しい条件下では、反応性イオウの腐食性の低い形でも腐食を引き起こし得る。それゆえ、活性あるいは低活性であれ、すべての反応性イオウを実質的に含まないモリブデン化合物を有することが望ましい。「可溶」あるいは「油溶性」とは、モリブデン化合物が油溶性あるいは通常のブレンドまたは使用条件下で可溶化されて、潤滑オイルまたは濃縮物用の希釈剤とすることが可能であるという意味である。「実質的に含まない」とは、製造プロセスから残存する不純物または触媒のために痕跡レベルのイオウが存在してもよいという意味である。このイオウは、モリブデン化合物それ自身の一部でないが、モリブデン化合物の製造で残存する。このような不純物は、時には、最終モリブデン生成物に０．０５重量パーセントものイオウを持ち込み得る。
【００２７】
本発明のモリブデン添加剤は、酸化防止剤、堆積物コントロール添加剤、摩耗防止添加剤及び／または摩擦調整剤として使用される。モリブデン添加剤のトリート（ｔｒｅａｔ）率は、仕上った潤滑剤の所望の性能に依存するが、添加剤は、通常は、仕上った潤滑剤に少なくとも約５０、好ましくは約５０から約１０００ｐｐｍのモリブデンを付与するような量で存在する存在する。本発明の潤滑剤中のモリブデン濃度は、特別な上限を持たないが、経済的な理由により、要求ではないが、約１０００ｐｐｍの最大レベルが一般に好ましい。
【００２８】
本発明のモリブデン錯体は、広範なベースストックへの溶解性が優れ、仕上ったクランクケースオイルを着色する傾向が低い。更には、この錯体は、高モリブデン包含量を有し、低コスト原材料から製造され、直裁な製造プロセスを有する。好ましい実施形態においては、本発明のモリブデン錯体は、非希釈で、７重量パーセント以上のモリブデンを含有する。
【００２９】
潤滑剤のオイル組成物は、顧客及び特定の用途に基づき著しく変わり得る。このオイルは、通常、本発明のモリブデン化合物に加えて、洗浄剤／インヒビター添加剤パッケージ及び粘度インデックス改良剤を含有する。一般に、潤滑剤オイルは、６５と９５重量パーセント（重量％）の間の潤滑粘性を持つベースオイル、０と３０重量％の間のポリマー粘度インデックス改良剤、約５と１５重量％の間の追加の添加剤パッケージ及び、通常、充分な量のモリブデン錯体からなり、仕上った潤滑剤に少なくとも約５０ｐｐｍのモリブデンを付与する調合オイルである。
【００３０】
洗浄剤／インヒビター添加剤パッケージは、分散剤、洗浄剤、亜鉛ジヒドロカルビルジチオホスフェート（ＺＤＤＰ）、追加の酸化防止剤、腐食インヒビター、防錆剤、発泡防止剤及び補助の摩擦調整剤を含んでもよい。
【００３１】
分散剤は、高分子量の炭化水素鎖に付いた窒素または酸素極性基を含む非金属添加剤である。この炭化水素鎖は、炭化水素ベースストック中の溶解性を付与する。この分散剤は、オイル分解生成物をオイル中に懸濁させる機能をする。普通に使用される分散剤の例は、ヒドロカルビル置換コハク酸イミド、ヒドロカルビルアミン、ポリヒドロキシコハク酸エステル、ヒドロカルビル置換マンニッヒ塩基、及びヒドロカルビル置換トリアゾールを含む。一般に、この分散剤は、０と１０重量％の間の量で仕上ったオイル中に存在する。
【００３２】
この洗浄剤は、脂肪族、シクロ脂肪族、またはアルキル芳香族鎖を持つフェネート、スルホネートまたはカルボン酸塩等の帯電した極性基及びいくつかの金属イオンを含有する金属性添加剤である。この洗浄剤は、エンジンの種々の表面から堆積物を浮き上がらせることにより機能する。普通に使用される洗浄剤の例は、中性及びオーバーベースされたアルカリ及びアルカリ土類金属スルホネート、オーバーベースされたアルカリ土類サリシレート、ホスホネート、チオピロホスホネート、及びチオホスホネートを含む。一般に、使用する場合には、この洗浄剤は、約０．５から５．０重量％の量で仕上ったオイル中に存在する。
【００３３】
ＺＤＤＰは、調合潤滑剤中の最も普通に使用される摩耗防止添加剤である。これら添加剤は、金属表面と反応して、それ自身変形して、元のエンジン表面を保護する新しい表面活性化合物を形成することにより機能する。摩耗防止添加剤の他の例は、トリクレゾールホスフェート、ジラウリルホスフェート、イオウ化テルペン及びイオウ化脂を含む。ＺＤＤＰは、また、酸化防止剤としても機能する。一般に、ＺＤＤＰは、仕上ったオイル中に約０．２５と１．５重量％の間で存在する。環境面での懸念から低レベルのＺＤＤＰを有することが望ましい。リンを含有しないオイルはＺＤＤＰを含まない。
【００３４】
本モリブデン化合物の混入は、一般に補助的な酸化防止剤のニーズを取り除く。しかしながら、低酸化安定性であるオイルまたは異常に厳しい条件にさらされるオイルには、補助的な酸化防止剤を混入してもよい。補助的な酸化防止剤の量は、ベースストックの酸化安定性に依り変わる。仕上ったオイル中の典型的なトリートのレベルは、０から２．５重量％で変わり得る。一般に使用される補助的な酸化防止剤は、ジアリールアミン、ヒンダードフェノール、ヒンダードビスフェノール、イオウ化フェノール、イオウ化オレフィン、アルキルサルファイド及びポリサルファイド、ジアルキルジチオカーバメート、及びフェノチアジンを含む。
【００３５】
本発明のベースオイルは、合成あるいは天然のオイルまたはこれらの混合物のいずれかから選ばれる。これらのオイルは、スパーク点火式及び圧縮点火式内燃エンジン、例えば天然ガスエンジン、自動車及びトラックエンジン、船舶、及び鉄道ディーゼルエンジン用の典型的なクランクケース潤滑オイルである。合成のベースオイルは、ジカルボン酸のアルキルエステル、ポリグリコール及びアルコール、ポリブテンを含むポリ−アルファ−オレフィン、アルキルベンゼン、リン酸の有機エステル、及びポリシリコーンオイルを含む。天然のベースオイルは、鉱物性の潤滑オイルを含み、これらの原料源については、例えば、これらがパラフィン系、ナフテン系、または混合パラフィン−ナフテン系であるかどうかについては広く変わってよい。このベースオイルは、通常、１００℃で約２から約１５ｃＳｔ、好ましくは約２．５から約１１ｃＳｔの粘度を有する。
【００３６】
潤滑粘性を持つオイルにモリブデン化合物、及びいずれかの補助的な添加剤を添加することにより、本発明の潤滑油組成物を製造することができる。成分添加の方法または順序は決定的でない。あるいは、このモリブデン化合物は、いずれかの追加の添加剤と共に、濃縮物としてオイルに添加され得る。
【００３７】
潤滑性オイル濃縮物は、通常、溶剤と約２．５から９０重量％、好ましくは５から７５重量％の本発明のモリブデン化合物と選択による補助的な添加剤の組み合わせを含んでなる。好ましくは、この濃縮物は、少なくとも２５重量％、最も好ましくは少なくとも５０重量％のモリブデン化合物と補助的な添加剤の組み合わせを含んでなる。
【００３８】
一つの実施形態においては、本発明は、潤滑油の酸化安定性を改善する方法であって、上記方法が潤滑油に酸化安定性を改善する量の本発明のモリブデン錯体を添加することを含んでなり、ここで、上記モリブデン錯体を欠くという点を除いて同一である潤滑油に比較して、上記酸化安定性を改善する量の上記モリブデン錯体が潤滑油の酸化安定性を改善するのに効果的である方法を指向する。このオイルの酸化安定性を改善するために、通常、モリブデン錯体は、少なくとも５０ｐｐｍ、好ましくは少なくとも１００ｐｐｍ、更に好ましくは少なくとも１５０ｐｐｍのモリブデンを仕上った潤滑油に付与するのに充分な量で潤滑油中に存在する。
【００３９】
一つの実施形態においては、本発明は、内燃エンジンの燃料経済性を改善する方法であって、上記方法が上記内燃エンジン用のクランクケース潤滑油として、本発明のモリブデン錯体を含有する潤滑性オイルを使用することを含んでなり、このオイルが上記モリブデン錯体を欠いている点を除いて、同一方法で操作され、同一クランクケース潤滑油を使用する上記エンジンに比較して、上記モリブデン錯体が上記クランクケース潤滑油を用いて内燃エンジンの燃料経済性を改善するのに充分な量で存在する方法を指向する。燃料経済性を改善するために、通常、このモリブデン錯体は、少なくとも１５０ｐｐｍ、好ましくは少なくとも４００ｐｐｍ、更に好ましくは少なくとも８００ｐｐｍのモリブデンを仕上った潤滑油に付与するのに充分な量で潤滑油中に存在する。
【００４０】
一つの実施形態においては、本発明は、内燃エンジン中の堆積物を低減する方法であって、上記方法が上記内燃エンジン用のクランクケース潤滑油として、本発明のモリブデン錯体を含有する潤滑性オイルを使用することを含んでなり、このオイルが上記モリブデン錯体を欠いている点を除いて、同一方法で操作され、同一クランクケース潤滑油を使用する上記エンジン中の堆積物の重量に比較して、上記モリブデン錯体が上記クランクケース潤滑油を用いて運転される内燃エンジン中の堆積物の重量を低減するのに充分な量で存在する方法を指向する。堆積物を低減するために、通常、このモリブデン錯体は、少なくとも５０ｐｐｍ、好ましくは少なくとも１００ｐｐｍ、更に好ましくは少なくとも１５０ｐｐｍのモリブデンを仕上った潤滑油に付与するのに充分な量で潤滑油中に存在する。本発明の組成物を用いて低減される堆積物の代表的なものは、ピストン堆積物、リングランド（ｒｉｎｇ  ｌａｎｄ）堆積物、クラウンランド堆積物（ｃｒｏｗｎ  ｌａｎｄ  ｄｅｐｏｓｉｔｓ）及びトップランド堆積物（ｔｏｐ  ｌａｎｄ  ｄｅｐｏｓｉｔｓ）を含む。
【００４１】
一つの実施形態においては、本発明は、内燃エンジン中の摩耗を低減する方法であって、上記方法が上記内燃エンジン用のクランクケース潤滑油として、本発明のモリブデン錯体を含有する潤滑性オイルを使用することを含んでなり、このオイルが上記モリブデン錯体を欠いている点を除いて、同一方法で操作され、同一クランクケース潤滑油を使用して運転される上記エンジン中の摩耗に比較して、上記モリブデン錯体が上記クランクケース潤滑油を用いて運転された内燃エンジン中の摩耗を低減するのに充分な量で存在する方法を指向する。摩耗を低減するために、通常、このモリブデン錯体は、少なくとも５０ｐｐｍ、好ましくは少なくとも１００ｐｐｍ、更に好ましくは少なくとも１５０ｐｐｍのモリブデンを仕上った潤滑油に付与するのに充分な量で潤滑油中に存在する。本発明の組成物を用いて低減される摩耗の代表的なものは、カム摩耗及びリフター（ｌｉｆｔｅｒ）摩耗を含む。
【００４２】
次の例は、本発明及びこの有利な性質を例示するものであるが、制約的であることは意図していない。これらの例並びに本明細書の各所における、部及びパーセンテージはすべて、特に示さない限り重量による。
【００４３】
【実施例】
次の実施例におけるこのモリブデン化合物の一般的な合成的な製造方法は、最初に、グリセリド／アミノアミド混合物を次のように製造することを含む。４つ口反応フラスコに撹拌機、温度計、還流コンデンサー、及び窒素導入口を備える。このフラスコにモノ置換アルキレンアミン及び脂肪油を装入する。乾燥窒素を入口から還流コンデンサーを通って反応器へと流す。反応物を撹拌し、約１２０℃に加熱し、その温度で２から３時間維持する。次に、反応物を約７５℃に冷却し、モリブデン包含ステップに準備する。
【００４４】
モリブデン包含ステップにおいては、トルエンまたはキシレンを添加して、水の除去を助ける。反応フラスコと還流コンデンサーの間にディーン−スタルクトラップ（ｄｅａｎ−ｓｔａｒｋ  ｔｒａｐ）を配設する。反応溶剤を反応器に添加し、追加の溶剤を使用して、ディーン−スタルクトラップを充たす。酸化モリブデンと水を添加しながら、反応物を７５−８０℃に維持する。反応混合物を激しく撹拌し、還流温度に至らせる。ディーン−スタルクトラップを経由して、水を反応物から除去する。次に、反応混合物を冷却し、予め秤量したフィルターパッドにより濾過する。すべての溶剤を除去する迄、濾液をロータリーエバポレーターにより濃縮する。未反応のモリブデンの量を濾過後のフィルターパッドの重量増加から求める。試料Ｍ．ｌをパラフィン系プロセス希釈剤オイルにより希釈して、７０重量％のこのモリブデン化合物を含有させた。他の試料はすべて希釈しなかった。
【００４５】
表１は、使用した脂肪油及びアミン並びに包含されたモリブデン量（錯体の重量基準のパーセントモリブデン）の形で種々の反応生成物を示す。試料Ｍ．１からＭ．７の製造においては、モリブデン源は三酸化モリブデンであり、成分を１：２：１の脂肪油：アミン：モリブデン化合物のモル比で一緒に反応させた。試料Ｍ．６に対しては、脂肪油：アミン：モリブデン化合物のモル比は１：１：１であった。試料Ｍ．７に対しては、脂肪油：アミン：モリブデン化合物のモル比は２：２：１であった。Ｍ．６及びＭ．７で使用したアミンは、従来技術においてモリブデン錯体を製造するのに有用なアミンとして教示されている。Ｍ．６で使用したアミンは、米国特許第５、１３７、６４７号において教示されており、Ｍ．７で使用したアミンは米国特許第４、７６５、９１８号で教示されている。Ｍ．６及びＭ．７のアミンは、モノアルキル化アルキレンジアミンでなく、それゆえ本発明の範囲外である。
【００４６】
【表１】
0004109428.tif 000003
【００４７】
完全調合の５Ｗ−３０の乗用車モーターオイル（ＰＣＭＯ）並びにパラフィン系プロセスオイル希釈剤（ＰＯ＃５）を用いて、色及び肉眼での溶解性チェックをモリブデン化合物について求めた。この色の方法はＡＳＴＭＤｌ５００であった。色の結果をＤｌ５００色スケールで最も近い二分の一ユニットマッチに示す。表２のトリートレベルは、オイルに持ち込まれるモリブデンの量でなく、オイルに添加したモリブデン化合物の量（重量パーセント）を基準とする。
【００４８】
【表２】
0004109428.tif 000004
【００４９】
表２を精査すると、本発明のモリブデン化合物（Ｍ．１からＭ．５）はすべて、仕上ったＰＣＭＯ中摩擦調整剤トリートレベルで例外的に低い色を与えたことが明らかである。油溶性モリブデン化合物を製造するのに使用するアミンのタイプは、また、プロセスオイル及び仕上ったＰＣＭＯに低い色を与える製品を製造するのに重要であることも明らかである。Ｍ．６で使用したアミン、２−（２−アミノエチルアミノ）エタノール、及びＭ．７で使用したアミンは、本発明のモリブデン化合物Ｍ．１からＭ．５で得られたものに対してプロセスオイル及びＰＣＭＯに実質的な色を与える製品を生成した。
【００５０】
加圧示差走査熱分析（ＰＤＳＣ）を用いて、５Ｗ−３０ＰＣＭＯ中のモリブデン添加剤の酸化防止剤性能を求めた。表１に示したように、予備ブレンドオイルにモリブデン添加剤を添加することにより、試験オイルを製造した。予備ブレンドオイルは、５Ｗ−３０乗用車モーターオイルで使用される市販のＰＣＭＯ調合品に類似していた。
【００５１】
使用したＰＤＳＣ法は、Ｊ．Ａ． Ｗａｌｋｅｒ 及び Ｗ． Ｔｓａｎｇ 、「Ｃｈａｒａｃｔｅｒｉｚａｔｉｏｎ ｏｆ Ｌｕｂｒｉｃａｔｉｏｎ Ｏｉｌｓ ｂｙ Ｄｉｆｆｅｒｅｎｔｉａｌ Ｓｃａｎｎｉｎｇ Ｃａｌｏｒｉｍｅｔｒｙ」、 ＳＡＢ Ｔｅｃｈｎｉｃａｌ Ｐａｐｅｒ Ｓｅｒｉｅｓ、 ８０１３８３ （Ｏｃｔｏｂｅｒ ２０−２３、 １９８０）に記述されている。オイル試料を鉄ナフテネート触媒（５０ｐｐｍＦｅ）により処理し、開放したアルミニウム密封パン中でほぼ２ミリグラムを分析した。ほぼ５５ｐｐｍのＮＯ2を酸化触媒として含む４００ｐｓｉの空気により、このＤＳＣセルを加圧した。温度を１分間当たり２．５℃で２５０℃迄昇温する、温度ランプ法を使用した。温度上昇のシーケンス時に、発熱的な熱放出が観測される。この発熱的な熱放出は、酸化反応のしるしである。発熱的な熱放出が観測される温度は、酸化開始温度と呼ばれ、オイルの酸化安定性の目安である（すなわち、酸化開始温度が高い程、オイルの酸化安定性は大きい）。すべてのオイルを多数回の試験で評価し、結果を平均化した。結果を表３に示す。
【００５２】
【表３】
0004109428.tif 000005
【００５３】
表３の開始温度の結果は、完全に調合した乗用車モーターオイルの酸化をコントロールする点での本発明のモリブデン化合物（オイル＃２−１３）の効果を明瞭に示す。
【００５４】
Ｆｕｌｖｉｏ Ｚｅｒｌａ ａｎｄ Ｒｏｂｅｒｔ Ｍｏｏｒｅ 、「Ｅｖａｌｕａｔｉｏｎ ｏｆ Ｄｉｅｓｅｌ Ｅｎｇｉｎｅ Ｌｕｂｒｉｃａｎｔｓ ｂｙ Ｍｉｃｒｏ−Ｏｘｉｄａｔｉｏｎ」 ＳＡＥ Ｔｅｃｈｎｉｃａｌ Ｐａｐｅｒ ８９０２３９ （１９８９）で報告されているようなキャタピラーミクロ酸化試験（ＣＭＯＴ）の改変バージョンを用いて、５Ｗ−３０ ＰＣＭＯ中のモリブデン添加剤の堆積物コントロール性能を求めた。ＣＭＯＴは、広範な乗用車およびディーゼル潤滑剤並びに鉱物質及び合成ベースストックの堆積物を形成する傾向を評価するのに普通に使用される手法である。この試験は、高温の薄膜酸化条件下での潤滑剤の酸化安定性及び堆積物の形成傾向を測定する。試験条件を容易に変え得る能力及び試験結果を提示する融通性により、これは広範な潤滑剤製品をスクリーニングする価値のある研究ツールとなっている。
【００５５】
ＣＭＯＴにおいては、薄膜のオイルを高温浴中に置いた試験管に浸けた秤量したくぼみを付けた低炭素鋼の試料ホルダーに入れる。試験管から、オイル試料の上に、そして試験管から大気中に特定の速度で乾燥空気を通す。特定の時間間隔で、炭素鋼試料ホルダーを高温浴から取り出し、溶剤でゆすいで、残存オイルを除去し、オーブン乾燥する。試料ホルダーを秤量して、サンプリング間隔で生成した堆積物の量を求める。この方法は、種々の時間間隔でサンプリングし、各時間間隔でパーセント堆積物を求めることを必要とする。２２０℃の温度、２０ｃｃ／分の空気流及び９０、１２０、１５０及び１８０分間のサンプリング時間を用いて、ＣＭＯＴ試験を行った。モリブデン化合物はすべて、仕上った潤滑剤に１５０ｐｐｍのモリブデンを付与するようにオイル中に存在した。
【００５６】
異るサンプリング時間での％堆積物を表４に示す。
【００５７】
【表４】
0004109428.tif 000006
【００５８】
表４に示した結果は、モリブデンを含まない潤滑剤に比較して堆積物生成の量が少ないことから証明されるように、本発明の添加剤成分（オイル＃２−５）は、ＣＭＯＴにおいて改善された堆積物コントロールをもたらすことを明白に示す。
【００５９】
流体膜が充分に薄く、相対する金属表面が相互作用する場合には、境界潤滑（ｂｏｕｎｄａｒｙ  ｌｕｂｒｉｃａｔｉｏｎ）が起こる。この相互作用が起こる場合には、摩擦が増加する。エンジンにおいては、摩擦の増加は、結果として燃料経済性の減少をまねく。
【００６０】
高周波往復リグ（ＨＦＲＲ）を用いて、５Ｗ−３０ＰＣＭＯ中のモリブデン添加剤の境界摩擦係数（ｂｏｕｎｄａｒｙ  ｆｒｉｃｔｉｏｎ  ｃｏｅｆｆｉｃｉｅｎｔ）を求めた。ＨＦＲＲは、１−２ｍｌの試料を入れた試料セル中の板でボールを振動させることにより動作する。振動周波数、ボールが動く行路長、ボールに印加する荷重及び試験温度をコントロールすることができる。これらのパラメーターをコントロールすることにより、流体の境界摩擦性能を見積もることができる。
【００６１】
本発明の新規なモリブデン添加剤をＳＡＥ５Ｗ−３０の完全に調合したモーターオイル中にブレンドした。Ｃ． Ｂｏｖｉｎｇｔｏｎ． Ｖ． Ａｎｇｈｅｌ ａｎｄ Ｈ． Ａ． Ｓｐｉｋｅｓ、「Ｐｒｅｄｉｃｔｉｎｇ Ｓｅｑ． ＶＩ ａｎｄＶＩＡ Ｆｕｅｌ Ｅｃｏｎｏｍｙ ｆｒｏｍ Ｌａｂｏｒａｔｏｒｙ ＢｅｎｃｈＴｅｓｔｓ」 （ＳＡＥ Ｔｅｃｈｎｉｃａｌ Ｐａｐｅｒ ９６１１４２）に記述されているものに類似した条件下で、すなわち、 ４Ｎの荷重、 １ｍｍの行路長（ｐａｔｈ  ｌｅｎｇｔｈ）、 ２０Ｈｚの周波数でＨＦＲＲを用いて、これらの流体の境界摩擦性能を見積もった。摩擦性能を１３０℃で測定した。
【００６２】
表５は、モリブデンを含まないモーターオイルに比較して、モーターオイルに本発明の新規なモリブデン添加剤を添加することにより得られた境界摩擦（ｂｏｕｎｄａｒｙ  ｆｒｉｃｔｉｏｎ）の改善の結果を示す。低境界摩擦の結果は、改善された燃料経済性を示す。
【００６３】
【表５】
0004109428.tif 000007
【００６４】
表５から、本発明のモリブデン添加剤を含むオイル（オイル＃２−４）は、改善された（すなわち、低減された）境界摩擦を示し、モリブデンを含まない潤滑油に比較して、上述のように改善された燃料経済性を示していることが明白である。
【００６５】
本発明は、その実施においてはかなりバリエーションを受け易い。従って、本発明は、上記に示された特定の例示に限定されない。むしろ、本発明は、法律の事項としては得られる同等物を含めて添付のクレームの精神及び範囲の内にある。
【００６６】
本特許権所有者は、開示された実施形態を公共に供することは意図せず、いかなる開示された変形または変更もクレームの範囲内に言葉本来の意味で入らない範囲で、これらは、同等物の定説の下に本発明の一部であると考えられる。
【００６７】
本発明の特徴及び実施形態は次の通りである。
【００６８】
１．ｉ）少なくとも一つの脂肪油、
ｉｉ）少なくとも一つモノアルキル化アルキレンジアミン、及び
ｉｉｉ）モリブデン源
の反応生成物を含んでなる有機モリブデン錯体。
【００６９】
２．上記脂肪油がＣ12脂肪酸を大部分の脂肪酸成分として含んでなる上記１に記載のモリブデン錯体。
【００７０】
３．上記脂肪油がココナッツオイルを含んでなる上記２に記載のモリブデン錯体。
【００７１】
４．上記脂肪油がＣ18脂肪酸を大部分の脂肪酸成分として含んでなる上記２に記載のモリブデン錯体。
【００７２】
５．上記脂肪油がカノーラオイルを含んでなる上記４に記載のモリブデン錯体。
【００７３】
６．上記モノアルキル化アルキレンジアミンがメチルアミノプロピルアミンを含んでなる上記４に記載のモリブデン錯体。
【００７４】
７．上記モノアルキル化アルキレンジアミンがメチルアミノプロピルアミン、メチルアミノエチルアミン、ブチルアミノプロピルアミン、ブチルアミノエチルアミン、オクチルアミノプロピルアミン、オクチルアミノエチルアミン、ドデシルアミノプロピルアミン、ドデシルアミノエチルアミン、ヘキサデシルアミノプロピルアミン、ヘキサデシルアミノエチルアミン、オクタデシルアミノプロピルアミン、オクタデシルアミノエチルアミン、イソプロピル−オキソ−プロピル−１、３−プロパンジアミン、オクチル−オキソ−プロピル−ｌ、３−プロパンジアミン及び脂肪酸から誘導されるモノ−アルキル化アルキレンジアミンからなる群から選ばれる少なくとも一つのメンバーを含んでなる上記１に記載のモリブデン錯体。
【００７５】
８．上記モノアルキル化アルキレンジアミンがＮ−ココアルキル−１、３−プロパンジアミン、Ｎ−トールオイルアルキル−１、３−プロパンジアミン及びＮ−オレイル−１、３−プロパンジアミンからなる群から選ばれる少なくとも一つのメンバーを含んでなる上記７に記載のモリブデン錯体。
【００７６】
９．モリブデン源がアンモニウムモリブデート、ナトリウムモリブデート及び酸化モリブデンからなる群から選ばれる少なくとも一つのメンバーを含んでなる上記１に記載のモリブデン錯体。
【００７７】
１０．成分（ｉｉｉ）の添加に先立って、（ｉ）と（ｉｉ）を７５と１５０℃の間の温度で反応させて、中間体の反応生成物を生成させることにより得られる上記１に記載のモリブデン錯体。
【００７８】
１１．中間体の反応生成物がアミノアミド／グリセリド混合物を含んでなる上記１０に記載のモリブデン錯体。
【００７９】
１２．反応生成物が反応性イオウを実質的に含まない上記１に記載のモリブデン錯体。
【００８０】
１３．反応生成物が０．０５重量パーセント未満のイオウを含有する上記１２に記載のモリブデン錯体。
【００８１】
１４．反応生成物が、非希釈で、７重量パーセント以上のモリブデンを含有する上記１２に記載のモリブデン錯体。
【００８２】
１５．主量の潤滑粘性を持つオイル及び上記１に記載のモリブデン錯体を含んでなる潤滑油組成物。
【００８３】
１６．モリブデン錯体が仕上った潤滑剤に少なくとも約５０ｐｐｍのモリブデンを付与するのに充分な量で存在する上記１５に記載の潤滑油組成物。
【００８４】
１７．上記潤滑油に酸化安定性を改善する量の上記１に記載のモリブデン錯体を添加することを含んでなる、潤滑油の酸化安定性を改善する方法であって、上記モリブデン錯体の上記酸化安定性を改善する量が、上記モリブデン錯体を欠くという点を除いて同一である潤滑油に比較して潤滑油の酸化安定性を改善するのに充分な量である方法。
【００８５】
１８．モリブデン錯体が仕上った潤滑油に少なくとも５０ｐｐｍのモリブデンを付与するのに充分な量で存在する上記１７に記載の方法。
【００８６】
１９．上記内燃エンジン用のクランクケース潤滑油として、上記１５に記載のモリブデン錯体を含有する潤滑性オイルを使用することを含んでなる、内燃エンジンの燃料経済性を改善する方法であって、このオイルが上記モリブデン錯体を欠いている点を除いて、同一方法で操作され、同一クランクケース潤滑油を使用する上記エンジンに比較して、上記モリブデン錯体が上記クランクケース潤滑油を用いて内燃エンジンの燃料経済性を改善するのに充分な量で存在する方法。
【００８７】
２０．モリブデン錯体が仕上った潤滑油に少なくとも２００ｐｐｍのモリブデンを付与するのに充分な量で存在する上記１９に記載の方法。
【００８８】
２１．上記内燃エンジン用のクランクケース潤滑油として、上記１５に記載のモリブデン錯体を含有する潤滑性オイルを使用することを含んでなる、内燃エンジン中の堆積物を低減する方法であって、このオイルが上記モリブデン錯体を欠いている点を除いて、同一方法で操作され、同一クランクケース潤滑油を使用する上記エンジン中の堆積物の重量に比較して、上記モリブデン錯体が上記クランクケース潤滑油を用いて運転された内燃エンジン中の堆積物の重量を低減するのに充分な量で存在する方法。
【００８９】
２２．モリブデン錯体が仕上った潤滑油に少なくとも５０ｐｐｍのモリブデンを付与するのに充分な量で存在する上記２１に記載の方法。
【００９０】
２３．上記内燃エンジン用のクランクケース潤滑油として、上記１５に記載のモリブデン錯体を含有する潤滑性オイルを使用することを含んでなる、内燃エンジン中の摩耗を低減する方法であって、このオイルが上記モリブデン錯体を欠いている点を除いて、同一方法で操作され、同一クランクケース潤滑油を使用して運転される上記エンジン中の摩耗に比較して、上記モリブデン錯体が上記クランクケース潤滑油を用いて運転される内燃エンジン中の摩耗を低減するのに充分な量で存在する方法。
【００９１】
２４．モリブデン錯体が仕上った潤滑油に少なくとも５０ｐｐｍのモリブデンを付与するのに充分な量で存在する上記２３に記載の方法。
【００９２】
２５．有機モリブデン錯体を製造する方法であって、上記方法が
ｉ）少なくとも一つの脂肪油、
ｉｉ）少なくとも一つモノアルキル化アルキレンジアミン、及び
ｉｉｉ）モリブデン源
を反応させることを含んでなる方法。
【００９３】
２６．上記脂肪油がＣ12脂肪酸を大部分の脂肪酸成分として含んでなる上記２５に記載の方法。
【００９４】
２７．上記脂肪油がココナッツオイルを含んでなる上記２６に記載の方法。
【００９５】
２８．上記脂肪油がＣ18脂肪酸を大部分の脂肪酸成分として含んでなる上記２５に記載の方法。
【００９６】
２９．上記脂肪油がカノーラオイルを含んでなる上記２８に記載の方法。
【００９７】
３０．モノアルキル化アルキレンジアミン（成分ｉｉ）が脂肪油（成分ｉ）のモル当たり１から２モルの量で存在する上記２５に記載の方法。
【００９８】
３１．上記モノアルキル化アルキレンジアミンがメチルアミノプロピルアミン、メチルアミノエチルアミン、ブチルアミノプロピルアミン、ブチルアミノエチルアミン、オクチルアミノプロピルアミン、オクチルアミノエチルアミン、ドデシルアミノプロピルアミン、ドデシルアミノエチルアミン、ヘキサデシルアミノプロピルアミン、ヘキサデシルアミノエチルアミン、オクタデシルアミノプロピルアミン、オクタデシルアミノエチルアミン、イソプロピル−オキソ−プロピル−１、３−プロパンジアミン、オクチル−オキソ−プロピル−ｌ、３−プロパンジアミン及び脂肪酸から誘導されるモノ−アルキル化アルキレンジアミンからなる群から選ばれる少なくとも一つのメンバーを含んでなる上記２５に記載の方法。
【００９９】
３２．上記モノアルキル化アルキレンジアミンがＮ−ココアルキル−１、３−プロパンジアミン、Ｎ−トールオイルアルキル−１、３−プロパンジアミン及びＮ−オレイル−１、３−プロパンジアミンからなる群から選ばれる少なくとも一つのメンバーを含んでなる上記３１に記載の方法。
【０１００】
３３．上記モノアルキル化アルキレンジアミンがメチルアミノプロピルアミンを含んでなる上記２８に記載の方法。
【０１０１】
３４．モリブデン源がアンモニウムモリブデート、ナトリウムモリブデート及び酸化モリブデンからなる群から選ばれる少なくとも一つのメンバーを含んでなる上記２５に記載の方法。
【０１０２】
３５．モリブデン源（成分ｉｉｉ）が脂肪油（成分ｉ）のモル当たり０．５から１．５モルの量で存在する上記２５に記載の方法。
【０１０３】
３６．成分（ｉｉｉ）の添加に先立って、成分（ｉ）及び（ｉｉ）が反応されて、反応混合物を生成する上記２５に記載の方法。
【０１０４】
３７．（ｉ）及び（ｉｉ）の反応の後、水が反応混合物に添加される上記３６に記載の方法。